(57)【要約】【課題】軒樋の表面に発生したキズや凹みなどの破損箇所を簡潔な構成により覆って目につかないようにし、施工当初の軒樋の外観を維持できるようにする。【解決手段】底壁１１の前端から斜め前方へ傾斜して立ち上がった前側壁１２と、底壁１１の後端から略垂直に立ち上がった後側壁１３とで断面略Ｕ字状に形成されていて前記前側壁１２の上端に前耳部１２ａ、前側壁１２の略中央に長手方向に沿って延びた段差部１２ｂがそれぞれ設けられてなる軒樋１を補修するための補修カバーにおいて、上端に前耳部１２ａに嵌合する係止部２２、下端に段差部１２ｂに係合する折曲部２３を有する、軒樋１と同素材からなるカバー体２１からなり、前記係止部２２を前耳部１２ａに嵌合するとともに折曲部２３を段差部１２ｂに係合して、前側壁１２の上半部外面にカバー体２１の裏面を密着させて軒樋１に取り付け、破損箇所Ｘ１を覆い隠す。【選択図】図１
2010285740.tif 000002
【特許請求の範囲】
【請求項１】
底壁（１１）の前端から斜め前方へ傾斜して立ち上がった前側壁（１２）と、底壁（１１）の後端から略垂直に立ち上がった後側壁（１３）とで断面略Ｕ字状に形成されていて前記前側壁（１２）の上端に前耳部（１２ａ）、前側壁（１２）の略中央に長手方向に沿って延びた段差部（１２ｂ）がそれぞれ設けられてなる軒樋（１）を補修するための補修カバーにおいて、
上端に前耳部（１２ａ）に嵌合する係止部（２２）、下端に段差部（１２ｂ）に係合する折曲部（２３）を有する、軒樋（１）と同素材からなるカバー体（２１）からなり、前記係止部（２２）を前耳部（１２ａ）に嵌合するとともに折曲部（２３）を段差部（１２ｂ）に係合して、前側壁（１２）の上半部外面にカバー体（２１）の裏面を密着させて軒樋（１）に取り付けられるように構成されたことを特徴とする軒樋の補修カバー。
【請求項２】
カバー体（２１）は、軒樋（１）と同素材の樹脂被覆鋼板により形成されているとともに、軒先に取り付けられる軒樋と略同じ長さに形成されてなり、カバー体（２１）の両端縁と軒樋（１）の両端縁とを揃えて軒樋（１）に取り付けられることを特徴とする請求項１に記載の補修カバー。
【請求項３】
カバー体（２１）が取り付けられる軒樋（１）の段差部（１２ｂ）は水平面（１２１）と垂直面（１２２）によって鈎状に形成されてなり、前記水平面（１２１）に形成された突部（Ｒ）に、カバー体（２１）の折曲部（２３）に形成された凹部（Ｇ）が係止するように構成されたことを特徴とする請求項１又は２に記載の軒樋の補修カバー。
【発明の詳細な説明】
【技術分野】
【０００１】
本発明は、軒樋を建物の軒先に取り付ける作業の際に或いは施工後に、何らかの原因で、軒樋の表面を傷付けたり凹ませたりして軒樋を破損させた場合に、破損箇所を元の外観形態のものに修繕するための補修カバーに関する。
【背景技術】
【０００２】
軒樋の前側壁に化粧材を取り付ける形態として、例えば図４に示されるように、軒先に沿って軒樋吊り具９３を固定し、この軒樋吊り具９３の支持梁体部９３１で軒樋９１を支持するとともに、支持梁体部９３１の先端部から下方に延設した化粧材取付け部９３２の上端近辺と下端近辺とに化粧材９２の上下縁部を係止して軒樋９１の前側壁を化粧材９２で覆うものがある（例えば特許文献１参照）。
また、軒樋の前側壁外面に化粧カバー取付け具を取り付け、この化粧カバー取付け具に化粧カバーを装着して軒樋の前側壁を覆うものがある（例えば特許文献２参照）。
【先行技術文献】
【特許文献】
【０００３】
【特許文献１】特開平６−１４６５０８号公報
【特許文献２】実開平３−３７１２２号公報
【発明の概要】
【発明が解決しようとする課題】
【０００４】
近年、建物の高級化やファッション化といった建物のデザインの多様化が進み、軒先廻りの外観を綺麗に収めるための部材として、鋼板の表面を塩化ビニル樹脂などの合成樹脂で被覆してなる樹脂被覆鋼板をベンダーなどで折り曲げて成形した金属製軒樋が多用されつつある。
この金属製軒樋は、従来の硬質塩化ビニル樹脂製の軒樋と比較して剛性や耐久性に優れているだけでなく、デザイン性に富んだ形状に成形できるという利点を有する。しかし、その反面、鋼板の表面を覆っている樹脂皮膜にキズや凹みができ易いという問題があった。特に、軒先の足場の不安定な高所で軒樋を取り付ける作業中に作業者が不注意で工具類を軒樋にぶつけたり、取り付け作業完了後に足場を解体するときに、足場が揺れて軒樋に接触し或いは解体した機材が軒樋にぶつかったりすると、接触時の衝撃が僅かでも、軒樋表面の樹脂皮膜にキズや凹みができ易かった。
【０００５】
このようなキズや凹みは、通常、軒樋の軒先側へ張り出した部分にでき易く、例えば図３に示される如き前側壁１２が斜め前方へ傾斜した形態の軒樋１では、張り出し部分となる前側壁１２の中央近傍からその上端部にかけての領域Ｘに、キズや凹みなどの破損が生じる傾向がある。
軒樋の表面にできたキズや凹みはその大きさの程度にもよるものの、軒下から見上げたときにキズや凹みが目立って建物の外観が損なわれる程度のときには、軒樋を取替えざるを得ない。この際、足場が解体されたあとで目立ったキズや凹みが見つかると、軒樋を取替えるために再度足場を組み立てなければならず、手間やコストがかかるだけでなく、場合によっては施工期限までに建物を完成することができないという事態を招くことにもなりかねない。
【０００６】
軒樋の前側壁にキズや凹みをつけてしまった場合に、軒樋を取替えずに破損箇所が目につかないようにするため、破損箇所が隠れるように化粧材を取り付けて補修することが望ましく、前記従来形態のように化粧材を軒樋の前側壁に取り付けることも可能である。
しかしながら、従来形態のものは、最初から軒樋を綺麗に装飾することを意図したものであり、化粧材の取り付けは軒樋の取り付けと同時に行われ、軒樋を取り付けた後で補修のために化粧材を取り付けるものではない。破損箇所の補修のために従来形態を採用したのでは、軒樋吊り具の形状が複雑になり、部品点数も多くなるとともに、軒樋の前側壁全体が化粧カバーで覆われる構造のため嵩張って不恰好となり、軒先の外観が悪くなるという問題がある。
【０００７】
本発明は従来技術の有するこのような問題点に鑑み、軒樋の表面に発生したキズや凹みなどの破損箇所を簡潔な構成により覆って目につかないようにすることができ、特に樹脂皮膜鋼板からなる軒樋にあっては金属製の軒樋特有の高級な質感を損なうことなく、施工当初の軒樋の外観を維持できるようにすることを課題とする。
【課題を解決するための手段】
【０００８】
前記課題を解決するため本発明は、底壁の前端から斜め前方へ傾斜して立ち上がった前側壁と、底壁の後端から略垂直に立ち上がった後側壁とで断面略Ｕ字状に形成されていて前記前側壁の上端に前耳部、前側壁の略中央に長手方向に沿って延びた段差部がそれぞれ設けられてなる軒樋を補修するための補修カバーにおいて、上端に前耳部に嵌合する係止部、下端に段差部に係合する折曲部を有する、軒樋と同素材からなるカバー体からなり、前記係止部を前耳部に嵌合するとともに折曲部を段差部に係合して、前側壁の上半部外面にカバー体の裏面を密着させて軒樋に取り付けられるように構成されたことを特徴とする。
【０００９】
本発明の補修カバーは、軒先に沿って取り付けられた軒樋の前側壁の外面に重ねて取り付けられるものであり、カバー体の上端に形成された係止部を軒樋の前耳部に嵌合させるとともに、カバー体の下端に形成された折曲部を軒樋の略中央に形成された段差部に係止させるだけで、軒樋に重ねたカバー体の裏面を前側壁の上半部外面に密着させて取り付けることができ、キズや凹みなどの破損箇所をコンパクトに覆って人目に触れないように覆い隠すことができる。また、前側壁にカバー体が密着し一体に重なることにより前側壁が補強され、ねじれや撓みなどに対する軒樋の剛性が大幅に向上する。
カバー体は軒樋と同じ材料を用いて形成されているので軒樋に重ねて取り付けたときにカバー体が目立たず、軒樋とカバー体とが一体となった外観を醸し出して違和感を生じさせることもなく、長期に亘る使用によっても色褪せによるむらが発生することもない。
【００１０】
カバー体は、軒樋に表面の破損箇所を覆い隠すことが可能な適宜な長さに形成することができる。カバー体の長さを軒樋と略同じ長さとし、カバー体を軒樋に装着したときに軒樋とカバー体の両端縁が合致して揃うように設けてあれば、軒樋表面上でカバー体の継ぎ目部が露出せず、軒樋とカバー体の外形縁部が一体となるため、軒樋とカバー体との外観上の一体性が増して前側壁の上半部外面にカバー体を取り付けてあるようには見えず、カバー体の存在を目立たなくすることができる。
【００１１】
上記構成において、軒樋の段差部が水平面と垂直面によって鈎状に形成されている場合に、前記水平面に形成された突部にカバー体の折曲部に形成された凹部が係止するように設けることができる。このようにすると補修カバーの裏面と軒樋の前側壁外面とが緊密に密着して固定され、妄りに剥落することもない。
【図面の簡単な説明】
【００１２】
【図１】軒樋表面の破損箇所を補修するために本発明の一実施形態の補修カバーを軒先に支持された軒樋に取り付ける状態を示した図である。
【図２】破損箇所に補修カバーを取り付けた軒樋と軒先部の概略断面図である。
【図３】図１の軒樋と補修カバーの拡大側面図である。
【図４】軒樋の前面に化粧材を取り付ける従来形態を示した図である。
【発明を実施するための形態】
【００１３】
本発明の好適な実施形態を図面に基づいて説明する。
図１〜図３は軒樋とこれに取り付ける補修カバーの一実施形態を示し、図中、符号１は軒樋、２は補修カバー、３は軒樋吊り具、４は内継手、Ｘ１は軒樋１の表面にできたキズや凹部などの破損箇所をそれぞれ示している。
【００１４】
軒樋１は、例えば塩化ビニル樹脂などで表面が被覆された樹脂被覆鋼板を板金加工により長手方向に沿って屈曲成形したものであり、図１及び図３に示されるように、底壁１１の前端から斜め前方に傾斜して立ち上がる前側壁１２と、底壁１１の後端から略垂直に屈曲して立ち上がる後側壁１３とによって、断面略Ｕ字状に形成してある。
前側壁１２の上端には縁部を内側へ鋭角に折り返した前耳部１２ａを設け、後側壁１３の上端には縁部を後方へ屈曲し且つ先端を内側に開口した断面略コ字状に屈曲させた後耳部１３ａを設けてある。また、前側壁１２の略中央には、軒樋１の長手方向に沿って延びた水平面１２１及び垂直面１２２からなる鈎状の段差部１２ｂを設けてある。
【００１５】
補修カバー２は、軒樋１と同素材の樹脂被覆鋼板を屈曲形成してなる長尺のカバー体２１からなり、当該カバー体はその上端に軒樋１の前耳部１２ａに嵌合する係止部２２を設け、下端には段差部１２ｂに係合する折曲部２３を設けて形成してある。
図３に示されるように、軒樋１の段差部１２ｂを構成する水平面１２１の先端部に突部Ｒが形成されている場合、補修カバー２の折曲部２３の上面に凹部Ｇを形成しておき、軒樋１に補修カバー２を取り付ける際に前記突部Ｒに凹部Ｇを係止させれば、補修カバー２の裏面が軒樋１の前側壁１２の表面に緊密に密着して接合するため、補修カバー２が妄り前面壁１２から剥落することはない。
カバー体２１は、軒樋１の前側壁１２外面にできた破損箇所Ｘ１（図１参照）を覆い隠して外側から目につかないようにするものであり、カバー体２１が軒樋１と略同じ長さに形成してあれば、前記破損箇所Ｘを含む軒樋１の前側壁１２の上半部全体がカバー体２１で覆われるとともに、軒樋１とカバー体２１の両端縁が揃って軒樋１の表面上でカバー体２１との継ぎ目部が露出せず、軒樋１とカバー体２１との外観上の一体性が増して、カバー体２１の存在を目立たなくすることができる。
【００１６】
このように構成された本形態の補修カバー２１を用いて、軒樋１の外面にできたキズや凹みなどの破損箇所を補修する作業手順を説明する。
軒樋１は、図１及び図２に示されるように、軒先に沿って取り付けた軒樋吊り具３で支持され、軒樋１、１の突き合わせ端部に跨って装着された内継手４で軒樋１、１同士を接続して、軒先に取り付けられる。内継手４による接続は、予め内継手４の外面に接着剤を塗布しておき、突き合わせた軒樋１、１の端部内面に内継手４の外面を押し付け、前記内外両面を接着接合して行われる。
【００１７】
前記軒樋１を軒先に取り付ける過程で、軒樋１の前側壁１２の外面にキズや凹みなどができてしまった場合に、本形態の補修カバー２を取り付けて破損箇所Ｘ１を修繕する。
補修カバー２の取り付けは、先ず、キズや凹みなどの破損箇所Ｘ１が存在する軒樋１の両端縁間の長さを計り、予め準備しておいたカバー体２１を、この軒樋１と同寸法の長さに切断する。
そして、所定長さに切断したカバー体２１を、その上端縁に形成された係止部２２を軒樋１の前耳部１２ａに嵌合させるとともに、下端縁に形成された折曲部２３を軒樋１の略中央に形成された段差部１２ｂに係止させて、カバー体２１の裏面を前側壁１２の上半部の外面に密着接合させる。このとき、カバー体２１の両端縁を軒樋１の両端縁に合致させて取り付けることが肝要であり、また、予めカバー体２１の裏面に接着剤を塗布しておくか、両面粘着テープを貼着しておくことによって、軒樋１に装着した補修カバー２を軒樋１の表面に強固に固着することができる。
【００１８】
このように軒樋１、１の端部同士が内継手４で接続されていると、カバー体２１の両端縁を軒樋１の両端縁と合致させた状態で前側壁１２外面に装着することができ、軒樋１とカバー体２１とが一体となってカバー体２１の存在が目立たなくなり、軒樋１の表面にできた破損箇所Ｘ１はカバー体２１で覆われて外側から目につくことはない。また、本発明の補修カバー１を用いれば、軒樋１の表面にできた破損箇所Ｘ１を簡単に補修することができるので、足場を解体した後でも、軒先にはしごを掛けるなどするだけで簡単に補修作業を行うことが可能である。
【００１９】
なお、図示した形態は一例であり、本発明の補修カバーの構成はこれらに限定されるものではなく、補修の対象である軒樋の形状も図示したものに限定されない。アルミ板などの耐蝕性を有する金属鋼板製の軒樋や合成樹脂製の軒樋についても本発明の補修カバーを用いて修繕することができる。図示したカバー体は長尺に形成したものであるが、軒樋表面にできた破損箇所を覆い隠すことが可能であれば短尺に形成されたカバー体を用いてもよい。
【符号の説明】
【００２０】
１  軒樋、１１  底壁、１２  前側壁、１２ａ  前耳部、１２ｂ  段差部、１３  後側壁、１３ａ  後耳部、２  補修カバー、２１  カバー体、２２  係止部、２３  折曲部、３  軒樋吊り具、４  内継手、Ｘ１  破損箇所
【図１】
2010285740.tif 000003
【図２】
2010285740.tif 000004
【図３】
2010285740.tif 000005
【図４】
2010285740.tif 000006